(57)【要約】【課題】ユーザの利便性を高めることができる画像形成装置を得る。【解決手段】本発明の画像形成装置は、第１の画像を分割することにより複数の第２の画像を生成するとともに、複数の第２の画像にそれぞれ対応し、それぞれが、対応する第２の画像の配置を示す配置情報を含む複数の第３の画像を生成する生成部と、複数の第２の画像を、有色現像剤を用いて互いに異なる印刷媒体に形成するとともに、複数の第３の画像のそれぞれを、透明現像剤を用いて対応する第２の画像と同じ印刷媒体に形成する画像形成部とを備える。【選択図】図４
2017081060.tif 000002
【特許請求の範囲】
【請求項１】
第１の画像を分割することにより複数の第２の画像を生成するとともに、前記複数の第２の画像にそれぞれ対応し、それぞれが、対応する第２の画像の配置を示す配置情報を含む複数の第３の画像を生成する生成部と、
前記複数の第２の画像を、有色現像剤を用いて互いに異なる印刷媒体に形成するとともに、前記複数の第３の画像のそれぞれを、透明現像剤を用いて対応する第２の画像と同じ印刷媒体に形成する画像形成部と
を備えた画像形成装置。
【請求項２】
前記配置情報は、前記第１の画像における、その配置情報を含む第３の画像に対応する第２の画像の位置を示す情報である
請求項１に記載の画像形成装置。
【請求項３】
前記複数の第２の画像のうちの、互いに隣り合う第２の画像の画像ペアには、識別子が割り当てられ、
前記画像ペアを構成する２つの第２の画像に対応する２つの第３の画像に含まれる配置情報は、前記識別子を含む
請求項１に記載の画像形成装置。
【請求項４】
前記生成部は、前記第１の画像を分割する際、互いに隣り合う２つの第２の画像が、互いにオーバーラップするオーバーラップ部分を含むようにして、前記複数の第２の画像を生成し、
前記画像ペアを構成する２つの第２の画像に対応する２つの第３の画像において、前記画像ペアの識別子は、前記オーバーラップ部分に重なるように配置される
請求項３に記載の画像形成装置。
【請求項５】
前記配置情報は、前記画像ペアを構成する２つの第２の画像の結合位置を示すガイドを含み、
前記画像ペアを構成する２つの第２の画像に対応する２つの第３の画像において、前記画像ペアの前記ガイドは、前記オーバーラップ部分に重なるように配置される
請求項４に記載の画像形成装置。
【請求項６】
前記透明現像剤は、紫外光に基づいて可視光を射出する蛍光現像剤である
請求項１から請求項５のいずれか一項に記載の画像形成装置。
【請求項７】
第１の画像を分割することにより複数の第２の画像を生成するとともに、前記複数の第２の画像のそれぞれに対応し、それぞれが、対応する第２の画像の配置を示す配置情報を含む複数の第３の画像を生成する生成部を備え、
前記複数の第３の画像は、印刷媒体において、透明現像剤を用いて形成されるべきものである
情報処理装置。
【発明の詳細な説明】
【技術分野】
【０００１】
本発明は、画像を形成する画像形成装置、および画像形成装置に対して印刷データを供給する情報処理装置に関する。
【背景技術】
【０００２】
大きな画像を印刷する際、しばしばユーザは、その大きな画像を複数の画像に分割して複数の用紙にそれぞれ印刷し、ユーザがそれらの複数の紙を結合する。例えば、特許文献１，２には、ユーザが、複数の用紙を結合する際に使用する情報を、各用紙の余白に印刷する画像形成装置が開示されている。
【先行技術文献】
【特許文献】
【０００３】
【特許文献１】特開２００２−２８３６４５号公報
【特許文献２】特開２００６−４０２１８号公報
【発明の概要】
【発明が解決しようとする課題】
【０００４】
ところで、一般に、電子機器では、ユーザの利便性が高いことが期待されており、画像形成装置および情報処理装置においても、さらなる利便性の向上が期待されている。
【０００５】
本発明はかかる問題点に鑑みてなされたもので、その目的は、ユーザの利便性を高めることができる画像形成装置および情報処理装置を提供することにある。
【課題を解決するための手段】
【０００６】
本発明の画像形成装置は、生成部と、画像形成部とを備えている。生成部は、第１の画像を分割することにより複数の第２の画像を生成するとともに、複数の第２の画像にそれぞれ対応し、それぞれが、対応する第２の画像の配置を示す配置情報を含む複数の第３の画像を生成するものである。画像形成部は、複数の第２の画像を、有色現像剤を用いて互いに異なる印刷媒体に形成するとともに、複数の第３の画像のそれぞれを、透明現像剤を用いて対応する第２の画像と同じ印刷媒体に形成するものである。
【０００７】
本発明の情報処理装置は、生成部を備えている。生成部は、第１の画像を分割することにより複数の第２の画像を生成するとともに、複数の第２の画像のそれぞれに対応し、それぞれが、対応する第２の画像の配置を示す配置情報を含む複数の第３の画像を生成するものである。上記複数の第３の画像は、印刷媒体において、透明現像剤を用いて形成されるべきものである。
【発明の効果】
【０００８】
本発明の画像形成装置および情報処理装置によれば、配置情報を含み、印刷媒体において透明現像剤を用いて形成されるべき第３の画像を生成するようにしたので、ユーザの利便性を高めることができる。
【図面の簡単な説明】
【０００９】
【図１】本発明の一実施の形態に係る画像形成装置の一構成例を表すブロック図である。
【図２】図１に示した画像形成装置の制御機構の一例を表すブロック図である。
【図３】図２に示したホストＰＣにおけるソフトウェア構成の一例を表す構成図である。
【図４】図２に示した画像形成ユニットの制御機構の一例を表すブロック図である。
【図５】第１の実施の形態に係る画像形成装置の一動作例を表すフローチャートである。
【図６】第１の実施の形態に係る画像形成装置の一動作例を表す説明図である。
【図７】第１の実施の形態に係る画像形成装置の一動作例を表す他の説明図である。
【図８】第１の実施の形態に係る画像形成装置の一動作例を表す他の説明図である。
【図９】第１の実施の形態に係る画像形成装置の一動作例を表す他の説明図である。
【図１０】第１の実施の形態の変形例に係るホストＰＣにおけるソフトウェア構成の一例を表す構成図である。
【図１１】第２の実施の形態に係る画像形成装置の一動作例を表すフローチャートである。
【図１２】第２の実施の形態に係る画像形成装置の一動作例を表す説明図である。
【図１３】第２の実施の形態に係る画像形成装置の一動作例を表す他の説明図である。
【図１４】第２の実施の形態に係る画像形成装置の一動作例を表す他の説明図である。
【図１５】第２の実施の形態に係る画像形成装置の一動作例を表す他の説明図である。
【図１６】第２の実施の形態に係る画像形成装置の一動作例を表す他の説明図である。
【図１７】第２の実施の形態に係る配置情報の生成動作の一例を表すフローチャートである。
【図１８】第２の実施の形態に係るガイドおよび結合番号の決定動作の一例を表すフローチャートである。
【図１９】第２の実施の形態に係る画像形成装置の一動作例を表す他の説明図である。
【図２０】第２の実施の形態に係る画像形成装置の一動作例を表す他の説明図である。
【図２１】第２の実施の形態に係る画像形成装置の一動作例を表す他の説明図である。
【発明を実施するための形態】
【００１０】
以下、本発明の実施の形態について、図面を参照して詳細に説明する。なお、説明は以下の順序で行う。
１．第１の実施の形態
２．第２の実施の形態
【００１１】
＜１．第１の実施の形態＞
［構成例］
図１は、本発明の第１の実施の形態に係る画像形成装置（画像形成装置１）の一構成例を表すものである。この画像形成装置１は、コピー機、ファクシミリ、スキャナなどの機能を有する、いわゆる多機能周辺装置（ＭＦＰ；Multi Function Peripheral）である。画像形成装置１は、画像読取ユニット１０と、画像形成ユニット２０とを備えている。
【００１２】
画像読取ユニット１０は、印刷媒体の画像を読み取るものである。画像読取ユニット１０は、供給トレイ１２と、イメージセンサ１３と、排出トレイ１４とを有している。この画像読取ユニット１０は、ＡＤＦ（Auto Document Feeder）機能を有するものである。供給トレイ１２は、画像を読み取るべき印刷媒体がセットされるものである。イメージセンサ１３は、画像を読み取るセンサである。排出トレイ１４は、画像が読み取られた印刷媒体が排出されるものである。
【００１３】
この構成により、画像読取ユニット１０は、供給トレイ１２にセットされた印刷媒体を、搬送路１９に沿って、イメージセンサ１３に搬送する。そして、画像読取ユニット１０は、イメージセンサ１３により画像が読み取られた印刷媒体を排出トレイ１４に導くようになっている。
【００１４】
画像形成ユニット２０は、印刷媒体９に対して画像を形成するものである。画像形成ユニット２０は、供給トレイ２１と、５つの現像部２２（２２Ｋ，２２Ｙ，２２Ｍ，２２Ｃ，２２Ｕ）と、５つの光源２４（２４Ｋ，２４Ｙ，２４Ｍ，２４Ｃ，２４Ｕ）と、５つの転写ローラ２５（２５Ｋ，２５Ｙ，２５Ｍ，２５Ｃ，２５Ｕ）と、定着部２６と、排出トレイ２７とを有している。
【００１５】
供給トレイ２１は、画像を形成すべき印刷媒体９がセットされるものである。
【００１６】
５つの現像部２２は、トナー像をそれぞれ形成するものである。具体的には、現像部２２Ｋは黒色のトナー像を形成するものであり、現像部２２Ｙは黄色のトナー像を形成するものであり、現像部２２Ｍはマゼンタ色のトナー像を形成するものであり、現像部２２Ｃはシアン色のトナー像を形成するものである。また、現像部２２Ｕは、蛍光トナーによるトナー像を形成するものである。蛍光トナーは、具体的には、通常は例えば無色透明であり、例えば紫外線が照射されることにより、可視光を発するものである。この例では、各現像部２２は、印刷媒体９の搬送方向Ｆにおいて、現像部２２Ｋ，２２Ｙ，２２Ｍ，２２Ｃ，２２Ｕの順に配置されている。各現像部２２は、例えば、着脱可能に構成されている。
【００１７】
各現像部２２は、感光体２３を有している。感光体２３は、表面（表層部分）に静電潜像を担持する部材である。具体的には、現像部２２Ｋの感光体２３Ｋでは、光源２４Ｋにより露光されることにより静電潜像が形成され、現像部２２Ｙの感光体２３Ｙでは、光源２４Ｙにより露光されることにより静電潜像が形成され、現像部２２Ｍの感光体２３Ｍでは、光源２４Ｍにより露光されることにより静電潜像が形成され、現像部２２Ｃの感光体２３Ｃでは、光源２４Ｃにより露光されることにより静電潜像が形成され、現像部２２Ｕの感光体２３Ｕでは、光源２４Ｕにより露光されることにより静電潜像が形成されるようになっている。そして、各感光体２３では、静電潜像に基づいてトナー像が形成されるようになっている。
【００１８】
５つの光源２４は、５つの現像部２２の感光体２３に対して、光をそれぞれ照射する部材である。具体的には、光源２４Ｋは感光体２３Ｋに対して光を照射し、光源２４Ｙは感光体２３Ｙに対して光を照射し、光源２４Ｍは感光体２３Ｍに対して光を照射し、光源２４Ｃは感光体２３Ｃに対して光を照射し、光源２４Ｕは感光体２３Ｕに対して光を照射する。これにより、これらの感光体２３は、各光源２４によりそれぞれ露光されるようになっている。
【００１９】
５つの転写ローラ２５は、５つの現像部２２により形成されたトナー像を、印刷媒体９の被転写面上に静電的にそれぞれ転写するための部材である。転写ローラ２５Ｋは、搬送路８を介して感光体２３Ｋに対向配置されており、転写ローラ２５Ｙは、搬送路８を介して感光体２３Ｙに対向配置されており、転写ローラ２５Ｍは、搬送路８を介して感光体２３Ｍに対向配置されており、転写ローラ２５Ｃは、搬送路８を介して感光体２３Ｃに対向配置されており、転写ローラ２５Ｕは、搬送路８を介して感光体２３Ｕに対向配置されている。この構成により、画像形成ユニット２０では、各現像部２２により形成されたトナー像が、印刷媒体９の被転写面上に転写されるようになっている。
【００２０】
定着部２６は、印刷媒体９に対し熱および圧力を付与することにより、印刷媒体９上に転写されたトナー像を印刷媒体９に定着させる部材である。定着部２６は、ヒートローラ２６Ａと、加圧ローラ２６Ｂとを有している。ヒートローラ２６Ａは、例えば、その内部にハロゲンランプ等の加熱ヒータを含んで構成されており、印刷媒体９上のトナーに対して熱を付与する部材である。加圧ローラ２６Ｂは、ヒートローラ２６Ａとの間に圧接部が形成されるように配置されており、印刷媒体９上のトナーに対して圧力を付与する部材である。これにより、定着部２６では、印刷媒体９上のトナーが、加熱され、融解し、加圧される。その結果、トナー像が印刷媒体９上に定着するようになっている。
【００２１】
排出トレイ２７は、画像が形成された印刷媒体９が排出されるものである。
【００２２】
この構成により、画像形成ユニット２０は、供給トレイ２１から搬送された印刷媒体９を、搬送路８に沿って、５つの現像部２２に順次搬送する。そして、画像形成ユニット２０は、５つの転写ローラ２５によりトナー像が転写された印刷媒体９を、定着部２６に搬送する。そして、画像形成ユニット２０は、トナー像が定着した印刷媒体９を、排出トレイ２７に搬送する。このようにして、画像形成ユニット２０は、印刷媒体９に対して印刷を行うようになっている。
【００２３】
図２は、画像形成装置１における制御機構の一例を表すものである。画像形成装置１は、通信部３１と、ＦＡＸ通信部３２と、操作部３３と、制御部３４と、記憶部３５とを有している。
【００２４】
通信部３１は、この例では、ホストＰＣ（Personal Computer）５０から、印刷データＤＰを受け取るものである。通信部３１は、例えば、ＵＳＢ（Universal Serial Bus）によりホストＰＣ５０と接続されるようにしてもよいし、ＬＡＮ（Local Area Network）を介してホストＰＣ５０に接続されるようにしてもよい。
【００２５】
図３は、画像形成装置１に印刷データＤＰを供給するホストＰＣ５０におけるソフトウェア構成の一例を表すものである。ホストＰＣ５０には、オペレーティングシステム５１、アプリケーションソフトウェア５２、およびプリンタドライバ５３がインストールされている。
【００２６】
オペレーティングシステム５１は、ホストＰＣ５０の動作を制御する、いわゆる基本ソフトウェアである。
【００２７】
アプリケーションソフトウェア５２は、例えば、ワードプロセッサソフトウェアや表計算ソフトウェアなどである。このアプリケーションソフトウェア５２は、黒色、黄色、マゼンタ色、シアン色の４色のトナーにより印刷されるカラー画像用のコンテンツデータを生成するものである。このカラー画像は、例えば、ピクチャオブジェクト、グラフィックオブジェクト、テキストオブジェクトなどを含んで構成されている。ここで、ピクチャオブジェクトは、画像をラスタ形式で表したものであり、グラフィックオブジェクトは、画像をベクタ形式で表したものである。
【００２８】
アプリケーションソフトウェア５２は、ユーザからの印刷指示に応じて、コンテンツデータに基づいてスプールファイルを生成する機能をも有している。そして、アプリケーションソフトウェア５２は、そのスプールファイルを、オペレーティングシステム５１を介して、プリンタドライバ５３に供給するようになっている。
【００２９】
プリンタドライバ５３は、画像形成装置１の動作を制御する、いわゆるデバイスドライバである。プリンタドライバ５３は、ユーザインタフェース部５４と、印刷データ生成部５５とを有している。ユーザインタフェース部５４は、印刷設定画面をホストＰＣ５０の表示装置に表示させるとともに、ユーザからの指示を受け付けることにより、様々な印刷設定を行うものである。印刷データ生成部５５は、スプールファイルに基づいて印刷データＤＰを生成するものである。ここで、印刷データＤＰは、例えば、ページ記述言語（ＰＤＬ；Page Description Language）により記述されたものである。そして、印刷データ生成部５５は、この印刷データＤＰを画像形成装置１に送信するようになっている。
【００３０】
画像形成装置１（図２）において、ＦＡＸ通信部３２は、電話回線を介してファクシミリとの間でデータを送受信するものである。操作部３３は、ユーザインタフェースであり、例えばタッチパネルや各種ボタンなどを用いて構成されるものである。
【００３１】
制御部３４は、画像形成装置１の動作を制御するものである。画像形成装置１は、ジョブ管理部３４Ａと、機能管理部３４Ｂとを有している。ジョブ管理部３４Ａは、通信部３１や操作部３３を介してユーザから要求されたジョブを実行するための処理を行うものである。機能管理部３４Ｂは、ジョブ管理部３４Ａが管理するジョブに機能を割り当てるものである。例えば、ユーザが、ホストＰＣ５０から、印刷データＤＰに基づく印刷を指示した場合には、ジョブ管理部３４Ａは、印刷ジョブを管理し、機能管理部３４Ｂは、この印刷ジョブに、画像形成ユニット２０を用いて印刷する印刷機能を割り当てる。また、ユーザが操作部３３を用いてコピー動作を指示した場合には、ジョブ管理部３４Ａは、コピージョブを管理し、機能管理部３４Ｂは、このコピージョブに、画像読取ユニット１０を用いて画像を読み取るスキャナ機能と、画像形成ユニット２０を用いて印刷する印刷機能を割り当てるようになっている。機能管理部３４Ｂが管理する機能は、これらのスキャナ機能および印刷機能の他、例えば、ＦＡＸ機能、Ｅメール機能、ログレポート作成機能などがある。このように、画像形成装置１では、機能を組み合わせることにより様々なジョブを実現するようにしたので、機能の種類をジョブの種類よりも少なくすることができるため、制御をシンプルにすることができるようになっている。
【００３２】
記憶部３５は、例えば不揮発性メモリを含んで構成されるものであり、ホストＰＣ５０から供給された印刷データＤＰ、画像読取ユニット１０が読み取った画像、画像形成装置１の各種設定、処理したジョブのログなどを記憶するものである。
【００３３】
図４は、画像形成ユニット２０における制御機構の一例を表すものである。画像形成ユニット２０は、画像データ生成部４０と、印刷制御部４９とを有している。
【００３４】
画像データ生成部４０は、制御部３４から供給された印刷データＤＰに基づいて、画像データ４５を生成するものである。画像データ４５は、５つの画像データ４５Ｋ，４５Ｙ，４５Ｍ，４５Ｃ，４５Ｕを含んでいる。画像データ４５Ｋは、黒色のトナーにより形成される黒色画像のデータであり、画像データ４５Ｙは、黄色のトナーにより形成される黄色画像のデータであり、画像データ４５Ｍは、マゼンタ色のトナーにより形成されるマゼンタ色画像のデータであり、画像データ４５Ｃは、シアン色のトナーにより形成されるシアン色画像のデータであり、画像データ４５Ｕは、蛍光トナーにより形成される蛍光画像のデータである。画像データ生成部４０は、印刷データ解析部４１と、画像描画部４６と、記憶部４３とを有している。
【００３５】
印刷データ解析部４１は、印刷データＤＰを解析することにより、黒色、黄色、マゼンタ色、シアン色の４色のトナーにより印刷されるカラー画像用の中間コードを生成するものである。また、印刷データ解析部４１は、蛍光トナーにより印刷される蛍光画像用の中間コードを生成する機能をも有している。印刷データ解析部４１は、これらの中間コードを生成する際、ピクチャオブジェクト、グラフィックオブジェクト、およびテキストオブジェクトごとに、中間コードを生成する。そして、印刷データ解析部４１は、これらの中間コードを、ディスプレイリスト４４として、記憶部４３に記憶させるようになっている。
【００３６】
印刷データ解析部４１は、分割処理部４２を有している。分割処理部４２は、印刷データＤＰに含まれる画像Ｐ１のサイズが、印刷媒体９の媒体サイズよりも大きい場合に、この画像Ｐ１を複数の画像（分割画像Ｐ２）に分割するものである。そして、分割処理部４２は、複数の分割画像Ｐ２にそれぞれ対応する複数の配置情報画像Ｐ３を生成するようになっている。各配置情報画像Ｐ３は、対応する分割画像Ｐ２の配置を示す配置情報ＩＮＦを含むものである。印刷データ解析部４１は、このようにして生成した複数の分割画像に基づいて、カラー画像用の中間コードを生成するとともに、複数の配置情報画像に基づいて、蛍光画像用の中間コードを生成するようになっている。
【００３７】
画像描画部４６は、記憶部４３に記憶されたディスプレイリスト４４に基づいて、画像データ４５を生成するものである。画像描画部４６は、カラー画像描画部４７と、蛍光画像描画部４８とを有している。カラー画像描画部４７は、ディスプレイリスト４４に含まれるカラー画像用の中間コードに基づいて、画像データ４５Ｋ，４５Ｙ，４５Ｍ，４５Ｃを生成するものである。蛍光画像描画部４８は、ディスプレイリスト４４に含まれる蛍光画像用の中間コードに基づいて、画像データ４５Ｕを生成するものである。そして、画像描画部４６は、これらの画像データ４５Ｋ，４５Ｙ，４５Ｍ，４５Ｃ，４５Ｕを、画像データ４５として、記憶部４３に記憶させるようになっている。
【００３８】
記憶部４３は、ディスプレイリスト４４と、画像データ４５とを記憶するものである。ディスプレイリスト４４は、カラー画像用の中間コードと、蛍光画像用の中間コードとを含むものである。画像データ４５は、５つの画像データ４５Ｋ，４５Ｙ，４５Ｍ，４５Ｃを含むものである。
【００３９】
印刷制御部４９は、画像データ生成部４０から供給された画像データ４５に基づいて、画像形成装置１が有する５つの光源２４、５つの現像部２２、５つの転写ローラ２５、定着部２６、各種ローラなどの各部材の動作を制御するものである。
【００４０】
ここで、画像データ生成部４０は、本発明における「生成部」の一具体例に対応する。画像Ｐ１は、本発明における「第１の画像」の一具体例に対応する。分割画像Ｐ２は、本発明における「第２の画像」の一具体例に対応する。配置情報画像Ｐ３は、本発明における「第３の画像」の一具体例に対応する。現像部２２および光源２４は、本発明における「画像形成部」の一具体例に対応する。黒色のトナー、黄色のトナー、マゼンタ色のトナー、およびシアン色のトナーは、本発明における「有色現像剤」の一具体例に対応する。蛍光トナーは、本発明における「透明現像剤」の一具体例に対応する。
【００４１】
［動作および作用］
続いて、本実施の形態の画像形成装置１の動作および作用について説明する。
【００４２】
（全体動作概要）
まず、図２，４を参照して、画像形成装置１の全体動作概要を説明する。画像形成装置１では、例えば、通信部３１（図２）が、ホストＰＣ５０から印刷データＤＰを受け取る。記憶部３５は、この印刷データＤＰを記憶する。制御部３４のジョブ管理部３４Ａは、印刷ジョブを管理し、機能管理部３４Ｂは、この印刷ジョブに、画像形成ユニット２０を用いて印刷する印刷機能を割り当てる。画像形成ユニット２０では、印刷データ解析部４１（図４）の分割処理部４２は、印刷データＤＰに含まれる画像Ｐ１のサイズが、印刷媒体９の媒体サイズよりも大きい場合に、この画像を複数の分割画像Ｐ２に分割する。また、分割処理部４２は、複数の分割画像Ｐ２にそれぞれ対応する複数の配置情報画像Ｐ３を生成する。そして、印刷データ解析部４１は、複数の分割画像Ｐ２に基づいて、カラー画像用の中間コードを生成するとともに、複数の配置情報画像Ｐ３に基づいて、蛍光画像用の中間コードを生成する。画像描画部４６は、これらの中間コード（ディスプレイリスト４４）に基づいて、画像データ４５（画像データ４５Ｋ，４５Ｙ，４５Ｍ，４５Ｃ，４５Ｕ）を生成する。
【００４３】
印刷制御部４９は、画像データ生成部４０から供給された画像データ４５に基づいて、画像形成装置１（図１）が有する５つの光源２４、５つの現像部２２、５つの転写ローラ２５、定着部２６、各種ローラなどの各部材の動作を制御する。具体的には、光源２４Ｋおよび現像部２２Ｋは、画像データ４５Ｋに基づいて黒色のトナーのトナー像を形成し、光源２４Ｙおよび現像部２２Ｙは、画像データ４５Ｙに基づいて黄色のトナーのトナー像を形成し、光源２４Ｍおよび現像部２２Ｍは、画像データ４５Ｍに基づいてマゼンタ色のトナーのトナー像を形成し、光源２４Ｃおよび現像部２２Ｃは、画像データ４５Ｃに基づいてシアン色のトナーのトナー像を形成し、光源２４Ｕおよび現像部２２Ｕは、画像データ４５Ｕに基づいて蛍光トナーのトナー像を形成する。５つの転写ローラ２５は、５つの現像部２２が生成したトナー像を印刷媒体９上に転写する。そして、定着部２６は、印刷媒体９上のトナー像を定着させる。このようにして、画像形成装置１は、印刷媒体９に、カラー画像および蛍光画像を印刷する。
【００４４】
（詳細動作）
次に、ユーザが、ホストＰＣ５０から、印刷データＤＰに基づく印刷を指示した場合を例に、画像形成装置１の動作を説明する。この場合には、制御部３４のジョブ管理部３４Ａは、印刷ジョブを管理し、機能管理部３４Ｂは、この印刷ジョブに、画像形成ユニット２０を用いて印刷する印刷機能を割り当てる。そして、画像形成ユニット２０の画像データ生成部４０は、印刷データＤＰに基づいて動作を行う。
【００４５】
図５は、画像データ生成部４０の一動作例を表すものである。画像データ生成部４０の分割処理部４２は、印刷データＤＰに含まれる画像Ｐ１のサイズが、印刷媒体９の媒体サイズよりも大きい場合に、この画像Ｐ１を複数の分割画像Ｐ２に分割するとともに、複数の配置情報画像Ｐ３を生成する。そして、印刷データ解析部４１は、複数の分割画像Ｐ２に基づいてカラー画像用の中間コードを生成するとともに、複数の配置情報画像Ｐ３に基づいて蛍光画像用の中間コードを生成する。そして、画像描画部４６は、これらの中間コードに基づいて、画像データ６５を生成する。以下に、この動作について詳細に説明する。
【００４６】
まず、印刷データ解析部４１は、印刷データＤＰに基づいて、印刷データＤＰに含まれる画像Ｐ１のサイズが、印刷媒体９の媒体サイズよりも大きいか否かを確認する（ステップＳ１）。
【００４７】
ステップＳ１において、画像Ｐ１のサイズが媒体サイズより大きい場合（ステップＳ１において“Ｙ”）には、分割処理部４２は、印刷データＤＰに含まれる画像Ｐ１を分割して複数の分割画像Ｐ２を生成し、印刷データ解析部４１は、この複数の分割画像Ｐ２に基づいて、カラー画像用の中間コードを生成する（ステップＳ２）。そして、印刷データ解析部４１は、生成したカラー画像用の中間コードを、ディスプレイリスト４４として、記憶部４３に記憶させる。
【００４８】
図６は、印刷データＤＰに含まれる画像Ｐ１の一例を表すものである。図７は、分割画像Ｐ２の一例を表すものである。この例では、画像Ｐ１には、略楕円形のグラフィックオブジェクトが配置されている。画像Ｐ１は、印刷媒体９の媒体サイズよりも大きいため、分割処理部４２は、図７に示したように、この画像Ｐ１を、横方向に３つ、縦方向に２つに分割することにより、６枚の分割画像Ｐ２を生成している。印刷データ解析部４１は、この６枚の分割画像Ｐ２に基づいてカラー画像用の中間コードを生成し、この中間コードを、ディスプレイリスト４４として記憶部４３に記憶させる。
【００４９】
次に、分割処理部４２は、複数の分割画像Ｐ２にそれぞれ対応する複数の配置情報画像Ｐ３を生成し、印刷データ解析部４１は、この複数の配置情報画像Ｐ３に基づいて、蛍光画像用の中間コードを生成する（ステップＳ３）。そして、印刷データ解析部４１は、生成した蛍光画像用の中間コードを、ディスプレイリスト４４として、記憶部４３に記憶させる。
【００５０】
図７は、配置情報画像Ｐ３の一例を表すものである。各配置情報画像Ｐ３は、配置情報ＩＮＦ１，ＩＮＦ２と、方向情報ＤＩＲとを含んでいる。配置情報ＩＮＦ１，ＩＮＦ２は、各分割画像Ｐ２が画像Ｐ１におけるどの位置に配置されるものであるかを示すものである。配置情報ＩＮＦ１は、この例では２行３列の表を含んでおり、その表に描かれた黒丸により、その分割画像Ｐ２の配置を示すものである。なお、１列目、２列目、３列目には、それぞれラベル“Ａ”，“Ｂ”，“Ｃ”が付されており、１行目、および２行目には、それぞれラベル“１”，“２”が付されている。配置情報ＩＮＦ２は、このラベルにより分割画像Ｐ２の配置を示すものである。具体的には、例えば“Ｃ１”は、３列目かつ１行目を示す。方向情報ＤＩＲは、分割画像Ｐ２の向きを表すものである。
【００５１】
なお、この例では、各配置情報画像Ｐ３は、配置情報ＩＮＦ１，ＩＮＦ２と、方向情報ＤＩＲとを含むようにしたが、これに限定されるものではない。例えば、方向情報ＤＩＲを省いてもよいし、配置情報ＩＮＦ１，ＩＮＦ２のうちのどちらか一方を省いてもよい。また、配置情報ＩＮＦは、これらの配置情報ＩＮＦ１，ＩＮＦ２に限定されるものではなく、分割画像Ｐ２の配置を示すものであればどのようなものであってもよい。
【００５２】
印刷データ解析部４１は、このような６枚の配置情報画像Ｐ３に基づいて、蛍光画像用の中間コードを生成し、この中間コードを、ディスプレイリスト４４として記憶部４３に記憶させる。
【００５３】
次に、画像描画部４６は、カラー画像用の中間コードおよび蛍光画像用の中間コードに基づいて、画像データ４５を生成する（ステップＳ４）。具体的には、画像描画部４６のカラー画像描画部４７は、記憶部４３に記憶されたカラー画像用の中間コードに基づいて画像データ４５Ｋ，４５Ｙ，４５Ｍ，４５Ｃを生成する。また、蛍光画像描画部４８は、記憶部４３に記憶された蛍光画像用の中間コードに基づいて画像データ４５Ｕを生成する。そして、画像描画部４６は、これらの画像データ４５Ｋ，４５Ｙ，４５Ｍ，４５Ｃ，４５Ｕを、画像データ４５として、記憶部４３に記憶させる。
【００５４】
ステップＳ１において、画像Ｐ１のサイズが媒体サイズ以下である場合（ステップＳ１において“Ｎ”）には、印刷データ解析部４１は、印刷データＤＰに含まれる画像Ｐ１に基づいて、カラー画像用の中間コードを生成する（ステップＳ５）。そして、印刷データ解析部４１は、生成したカラー画像用の中間コードを、ディスプレイリスト４４として、記憶部４３に記憶させる。
【００５５】
次に、画像描画部４６は、カラー画像用の中間コードに基づいて、画像データ４５を生成する（ステップＳ６）。具体的には、画像描画部４６のカラー画像描画部４７は、記憶部４３に記憶されたカラー画像用の中間コードに基づいて画像データ４５Ｋ，４５Ｙ，４５Ｍ，４５Ｃを生成する。そして、画像描画部４６は、これらの画像データ４５Ｋ，４５Ｙ，４５Ｍ，４５Ｃを、画像データ４５として、記憶部４３に記憶させる。
【００５６】
以上で、このフローは終了する。これにより、画像形成装置１は、印刷媒体９に、画像データ４５Ｋ，４５Ｙ，４５Ｍ，４５Ｃに基づいてカラー画像を印刷するとともに、画像データ４５Ｕに基づいて蛍光画像を印刷する。
【００５７】
図９は、印刷媒体９に印刷された画像の一例を表すものである。このように、印刷媒体９のそれぞれには、分割画像Ｐ２（図７）がカラー画像として印刷されるとともに、その分割画像Ｐ２に対応する配置情報画像Ｐ３（図８）が蛍光画像として印刷される。その際、分割画像Ｐ２および配置情報画像Ｐ３は、互いに重なりあうように印刷される。
【００５８】
ユーザは、通常の環境では、カラー画像である分割画像Ｐ２（図７）を視認できるが、蛍光画像である配置情報画像Ｐ３を視認できない。すなわち、ユーザは、図７のような分割画像Ｐ２を視認する。そして、紫外線ライトを用いて紫外線を照射することにより、ユーザは、分割画像Ｐ２に加えて、蛍光画像である配置情報画像Ｐ３をも視認するようになる。
【００５９】
よって、ユーザは、紫外線ライトを用いて紫外線を照射することにより、配置情報画像Ｐ３を視認し、その配置情報画像Ｐ３に基づいて分割画像Ｐ２の配置を把握することができる。これにより、ユーザは、分割画像Ｐ２が印刷された複数の印刷媒体９を、セロハンテープなどを用いて結合することにより、画像Ｐ１を再現することができる。
【００６０】
このように、画像形成装置１では、画像Ｐ１のサイズが媒体サイズより大きい場合に、画像Ｐ１を複数の分割画像Ｐ２に分割するとともに、配置情報ＩＮＦを含む配置情報画像Ｐ３を生成するようにした。これにより、ユーザは、その配置情報画像Ｐ３に基づいて分割画像Ｐ２の配置を知ることができるため、ユーザの利便性を高めることができる。
【００６１】
特に、画像形成装置１では、分割画像Ｐ２をカラー画像として印刷するとともに、その分割画像Ｐ２に対応する配置情報画像Ｐ３を蛍光画像として印刷したので、ユーザの利便性を高めることができる。すなわち、例えば、分割画像Ｐ２と配置情報画像Ｐ３を、ともにカラー画像として印刷する場合には、分割画像Ｐ２と、配置情報画像Ｐ３に含まれる配置情報ＩＮＦとが重ならないようにするため、例えば、配置情報ＩＮＦを印刷媒体９の余白部に配置する。よって、余白部が狭い場合には、配置情報ＩＮＦを配置することができないおそれがある。また、縁なし印刷をしたい場合には、そもそも配置情報ＩＮＦを配置することができない。このような場合には、ユーザは、分割画像Ｐ２そのものを見て、分割画像Ｐ２の配置を考える必要があるため、手間がかかる。一方、画像形成装置１では、分割画像Ｐ２をカラー画像として印刷するとともに、配置情報画像Ｐ３を蛍光画像として印刷した。これにより、分割画像Ｐ２と、配置情報画像Ｐ３に含まれる配置情報ＩＮＦとを、重ねて印刷することができる。その結果、ユーザは、配置情報画像Ｐ３に基づいて分割画像Ｐ２の配置を知ることができるため、ユーザの利便性を高めることができる。
【００６２】
［効果］
以上のように本実施の形態では、印刷データに含まれる画像のサイズが媒体サイズより大きい場合に、その画像を複数の分割画像に分割するとともに、配置情報を含む配置情報画像を生成するようにした。そして、分割画像をカラー画像として印刷するとともに、その分割画像に対応する配置情報画像を蛍光画像として印刷するようにした。これにより、ユーザは、配置情報画像に基づいて分割画像の配置を知ることができるため、ユーザの利便性を高めることができる。
【００６３】
［変形例１−１］
上記実施の形態では、ユーザが、ホストＰＣ５０から、印刷データＤＰに基づく印刷を指示したが、これに限定されるものではない。これに代えて、例えば、ユーザが操作部３３を用いてコピー動作を指示してもよい。この場合には、画像形成装置１では、画像読取ユニット１０が画像を読み取り、制御部３４（図２）は、画像読取ユニット１０が読み取った画像に基づいて印刷データＤＰを生成する。すなわち、この印刷データＤＰは、ピクチャオブジェクトを含んでいる。そして、制御部３４は、この印刷データＤＰを画像形成ユニット２０に供給する。その際、例えば、ユーザが拡大コピーを指示した場合には、印刷データＤＰに含まれる画像Ｐ１のサイズが媒体サイズより大きくなることがある。この場合、分割処理部４２は、画像Ｐ１を複数の分割画像Ｐ２に分割するとともに、配置情報ＩＮＦを含む複数の配置情報画像Ｐ３を生成することができる。
【００６４】
［変形例１−２］
上記実施の形態では、画像形成装置１が画像Ｐ１を複数の分割画像Ｐ２に分割したが、これに限定されるものではなく、これに代えて、例えば、図１０に示したように、ホストＰＣ５０Ｂが画像Ｐ１を複数の分割画像Ｐ２に分割してもよい。ホストＰＣ５０Ｂには、プリンタドライバ５３Ｂがインストールされている。プリンタドライバ５３Ｂは、分割処理部５６Ｂを有している。分割処理部５６Ｂは、アプリケーションソフトウェア５２から供給されるスプールファイルに含まれる画像Ｐ１のサイズが媒体サイズより大きい場合には、画像Ｐ１を複数の分割画像Ｐ２に分割するとともに、配置情報ＩＮＦを含む複数の配置情報画像Ｐ３を生成する。そして、印刷データ生成部５５が、この複数の分割画像Ｐ２および複数の配置情報画像Ｐ３に基づいて、印刷データＤＰを生成する。
【００６５】
［変形例１−３］
上記実施の形態では、蛍光トナーを用いたが、これに限定されるものではなく、これに代えて、例えば無色透明であり、反射率の違いにより印刷画像を視認できるようなトナーを用いてもよい。
【００６６】
＜２．第２の実施の形態＞
次に、第２の実施の形態に係る画像形成装置２について説明する。本実施の形態は、分割処理部の動作が、上記第１の実施の形態と異なるものである。なお、上記第１の実施の形態に係る画像形成装置１と実質的に同一の構成部分には同一の符号を付し、適宜説明を省略する。
【００６７】
画像形成装置２は、図１，２に示したように、画像形成ユニット６０を有している。画像形成ユニット６０は、図４に示したように、画像データ生成部７０を有している。画像データ生成部７０は、印刷データ解析部７１を有している。印刷データ解析部７１は、分割処理部７２を有している。
【００６８】
分割処理部７２は、第１の実施の形態に係る分割処理部４２と同様に、印刷データＤＰに含まれる画像Ｑ１を複数の分割画像Ｑ２に分割するとともに、複数の分割画像Ｑ２にそれぞれ対応する複数の配置情報画像Ｑ３を生成するものである。その際、分割処理部７２は、後述するように、隣り合う分割画像Ｑ２の一部が互いにオーバーラップするように、複数の分割画像Ｑ２を生成する。そして、分割処理部７２は、配置情報ＩＮＦをそのオーバーラップした領域に配置することにより、複数の配置情報画像Ｑ３を生成するようになっている。
【００６９】
ここで、画像データ生成部７０は、本発明における「生成部」の一具体例に対応する。画像Ｑ１は、本発明における「第１の画像」の一具体例に対応する。分割画像Ｑ２は、本発明における「第２の画像」の一具体例に対応する。配置情報画像Ｑ３は、本発明における「第３の画像」の一具体例に対応する。
【００７０】
次に、ユーザが、操作部３３を用いてコピー動作を指示した場合を例に、画像形成装置２の動作を説明する。この場合には、ジョブ管理部３４Ａは、コピージョブを管理し、機能管理部３４Ｂは、このコピージョブに、画像読取ユニット１０を用いて画像を読み取るスキャナ機能と、画像形成ユニット６０を用いて印刷する印刷機能を割り当てる。そして、画像読取ユニット１０が画像を読み取り、制御部３４は、画像読取ユニット１０が読み取った画像に基づいて印刷データＤＰを生成する。その際、制御部３４は、ユーザの操作に基づいて、画像Ｑ１に対する縦方向の分割数ｍｘおよび横方向の分割数ｍｙを取得する。なお、ユーザが、直接に分割数ｍｘ，ｍｙを入力してもよいし、ユーザが入力した拡大縮小率に基づいて、制御部３４が分割数ｍｘ，ｍｙを算出するようにしてもよい。そして、画像形成ユニット６０の画像データ生成部７０は、印刷データＤＰおよび分割数ｍｘ，ｍｙに基づいて動作を行う。
【００７１】
図１１は、画像データ生成部７０の一動作例を表すものである。
【００７２】
まず、印刷データ解析部７１は、分割数ｍｘ，ｍｙがともに１であるか否かを確認する（ステップＳ１１）。
【００７３】
ステップＳ１１において、分割数ｍｘ，ｍｙがともに１ではない場合（ステップＳ１１において“Ｎ”）には、分割処理部７２は、印刷データＤＰに含まれる画像Ｑ１を分割して、複数の分割画像Ｑ２を生成し、複数の分割画像Ｑ２に基づいて、カラー画像用の中間コードを生成する（ステップＳ１２）。そして、印刷データ解析部７１は、生成したカラー画像用の中間コードを、ディスプレイリスト４４として、記憶部４３に記憶させる。
【００７４】
図１２は、印刷データＤＰに含まれる画像Ｑ１の一例を表すものである。この例では、画像Ｑ１には、２つのグラフィックオブジェクトが配置されている。この例では、分割数ｍｘ＝３であり、分割数ｍｙ＝３である。よって、画像Ｑ１は、９枚の分割画像Ｑ２に分割される。以下、９枚の分割画像Ｑ２を区別するため、図１３に示したように、分割画像Ｑ２（ｘ，ｙ）のように表記する。ここで、パラメータｘは縦方向の位置を示し、パラメータｙは横方向の位置を示す。
【００７５】
分割処理部７２は、まず、画像Ｑ１に余白領域ＲＳを追加することにより、画像Ｑ１よりも一回り大きい画像Ｑ１１を生成する。そして、分割処理部７２は、この画像Ｑ１１から、９枚の分割画像Ｑ２を順次切り出すことにより、９枚の分割画像Ｑ２を生成する。その際、分割処理部７２は、隣り合う分割画像Ｑ２の一部が互いにオーバーラップするようにして、９枚の分割画像Ｑ２を順次切り出す。具体的には、分割処理部７２は、分割画像Ｑ２（０，０）を生成する場合には、線Ｌ２，Ｌ６に沿って切断し、分割画像Ｑ２（０，１）を生成する場合には、線Ｌ１，Ｌ４，Ｌ６に沿って切断し、分割画像Ｑ２（０，２）を生成する場合には、線Ｌ３，Ｌ６に沿って切断する。また、分割処理部７２は、分割画像Ｑ２（１，０）を生成する場合には、線Ｌ２，Ｌ５，Ｌ８に沿って切断し、分割画像Ｑ２（１，１）を生成する場合には、線Ｌ１，Ｌ４，Ｌ５，Ｌ８に沿って切断し、分割画像Ｑ２（１，２）を生成する場合には、線Ｌ３，Ｌ５，Ｌ８に沿って切断する。また、分割処理部７２は、分割画像Ｑ２（２，０）を生成する場合には、線Ｌ２，Ｌ７に沿って切断し、分割画像Ｑ２（２，１）を生成する場合には、線Ｌ１，Ｌ４，Ｌ７に沿って切断し、分割画像Ｑ２（２，２）を生成する場合には、線Ｌ３，Ｌ７に沿って切断する。
【００７６】
図１４は、９枚の分割画像Ｑ２のうちの上の３枚の分割画像Ｑ２（Ｑ２（０，０），Ｑ２（０，１），Ｑ２（０，２））を模式的に表すものである。各分割画像Ｑ２における斜線部は、隣り合う分割画像Ｑ２とオーバーラップする領域を示す。すなわち、例えば分割画像Ｑ２（０，０）の右側の斜線部における画像は、分割画像Ｑ２（０，１）の左側の斜線部における画像と同じである。
【００７７】
分割処理部７２は、このようにして、複数の分割画像Ｑ２を生成する。そして、印刷データ解析部７１は、この複数の分割画像Ｑ２に基づいて、カラー画像用の中間コードを生成し、この中間コードを、ディスプレイリスト４４として記憶部４３に記憶させる。
【００７８】
次に、分割処理部７２は、配置情報ＩＮＦを生成する（ステップＳ１３）。配置情報ＩＮＦは、ガイドＡと、結合番号Ｂとを含んでいる。ガイドＡは、ユーザが、分割画像Ｑ２が印刷された印刷媒体９を手作業で結合する際に、その位置合わせのために用いるものである。結合番号Ｂは、隣り合う分割画像Ｑ２の結合箇所を識別するものである。結合番号Ｂは、本発明における「識別子」の一具体例に対応する。
【００７９】
図１５は、ガイドＡおよび結合番号Ｂの一例を表すものである。この図１５では、説明の便宜上、各分割画像Ｑ２に重ねてガイドＡおよび結合番号Ｂを描いている。ガイドＡは、この例では、上向きの三角形または下向きの三角形である。結合番号Ｂは、この例では、このガイドＡの中に記載している。以下、説明の便宜上、パラメータｚを導入する。パラメータｚは、各分割画像Ｑ２の４辺を区別するためのものである。この例では、図１６に示したように、分割画像Ｑ２の上辺には、値“０”パラメータｚが割り当てられ、分割画像Ｑ２の右辺には、値“１”のパラメータｚが割り当てられ、分割画像Ｑ２の下辺には、値“２”のパラメータｚが割り当てられ、分割画像Ｑ２の左辺には、値“３”のパラメータｚが割り当てられている。
【００８０】
図１５に示したように、この例では、分割処理部７２は、互いに結合される分割画像Ｑ２（０，０）の右側（ｚ＝１）と分割画像Ｑ２（０，１）の左側（ｚ＝３）に、互いに異なるガイドＡを割り当てるとともに、同じ値“１”の結合番号Ｂを割り当てる。同様に、分割処理部７２は、互いに結合される分割画像Ｑ２（０，０）の下側（ｚ＝２）と分割画像Ｑ２（１，０）の上側（ｚ＝０）に、互いに異なるガイドＡを割り当てるとともに、同じ値“２”の結合番号Ｂを割り当てる。また、分割処理部７２は、互いに結合される分割画像Ｑ２（０，１）の右側（ｚ＝１）と分割画像Ｑ２（０，２）の左側（ｚ＝３）に、互いに異なるガイドＡを割り当てるとともに、同じ値“３”の結合番号Ｂを割り当てる。また、分割処理部７２は、互いに結合される分割画像Ｑ２（０，１）の下側（ｚ＝２）と分割画像Ｑ２（１，１）の上側（ｚ＝０）に、互いに異なるガイドＡを割り当てるととともに、同じ値“４”の結合番号Ｂを割り当てる。また、分割処理部７２は、互いに結合される分割画像Ｑ２（０，２）の下側（ｚ＝２）と分割画像Ｑ２（１，２）の上側（ｚ＝０）に、互いに異なるガイドＡを割り当てるとともに、同じ値“５”の結合番号Ｂを割り当てる。これ以降も同様である。
【００８１】
図１７は、分割処理部７２における配置情報ＩＮＦの生成動作の一例を表すものである。
【００８２】
まず、分割処理部７２は、パラメータｘ，ｙ，ｚ，ｋを初期化する（ステップＳ２１）。具体的には、パラメータｘ，ｙ，ｚをそれぞれ“０”に設定し、パラメータｋを“１”に設定する。これらのパラメータｘ，ｙ，ｚにより、分割画像Ｑ２の辺が特定される。着目する分割画像Ｑ２（Ｑ２（ｘ，ｙ））を順次選び、その着目した分割画像Ｑ２（ｘ，ｙ）の各辺にガイドＡおよび結合番号Ｂを順次割り当てていく。
【００８３】
次に、ガイドＡおよび結合番号Ｂの決定を行う（ステップＳ２２）
【００８４】
図１８は、ガイドＡおよび結合番号Ｂの決定動作の一例を表すものである。まず、分割処理部７２は、着目した分割画像Ｑ２（ｘ，ｙ）の着目した辺が、画像Ｑ１の辺に対応するか否かを確認する（ステップＳ４１）。具体的には、パラメータｘの値が“０”でありかつパラメータｚの値が“０”である場合には、着目した分割画像Ｑ２の辺は画像Ｑ１の上辺に対応する。また、パラメータｙの値が“ｍｙ−１”（ｙ＝ｍｙ−１）でありかつパラメータｚの値が“１”（ｚ＝１）である場合には、着目した分割画像Ｑ２の辺は画像Ｑ１の右辺に対応する。また、パラメータｘの値が“ｍｘ−１”（ｘ＝ｍｘ−１）でありかつパラメータｚの値が“２”（ｚ＝２）である場合には、着目した分割画像Ｑ２の辺は画像Ｑ１の下辺に対応する。また、パラメータｙの値が“０”（ｙ＝０）でありかつパラメータｚの値が“３”（ｚ＝３）である場合は、着目した分割画像Ｑ２の辺は画像Ｑ１の左辺に対応する。このようにして、分割処理部７２は、パラメータｘ，ｙ，ｚを利用して、着目した分割画像Ｑ２の辺が、画像Ｑ１の辺に対応するか否かを確認する。
【００８５】
ステップＳ４１において、着目した分割画像Ｑ２の着目した辺が、画像Ｑ１の辺に対応する場合（ステップＳ４１において“Ｙ”）には、分割処理部７２は、着目した分割画像Ｑ２の着目した辺に係るガイドＡを“−”（Ａ（ｘ，ｙ，ｚ）＝“−”）にするとともに、その着目した辺に係る結合番号Ｂを“−”（Ｂ（ｘ，ｙ，ｚ）＝“−”）にする（ステップＳ４２）。
【００８６】
また、ステップＳ４１において、着目した分割画像Ｑ２の着目した辺が、画像Ｑ１の辺のいずれにも対応しない場合（ステップＳ４１において“Ｎ”）には、分割処理部７２は、パラメータｚの値が１（ｚ＝１）であるか否かを確認する（ステップＳ４３）。
【００８７】
ステップＳ４３において、パラメータｚの値が１である場合（ステップＳ４３において“Ｙ”）には、分割処理部７２は、着目した分割画像Ｑ２（ｘ，ｙ）の辺（右辺）に係るガイドＡを“△”（Ａ（ｘ，ｙ，１）＝“△”）にするとともに、その右辺に係る結合番号Ｂをパラメータｋの値（Ｂ（ｘ，ｙ，１）＝ｋ）にする（ステップＳ４４）。また、分割処理部７２は、着目した分割画像Ｑ２（ｘ，ｙ）の右辺と結合される、その分割画像Ｑ２（ｘ，ｙ）の右側の分割画像Ｑ２（ｘ，ｙ＋１）の左辺に係るガイドＡを“▽”（Ａ（ｘ，ｙ＋１，３）＝“▽”）にするとともに、その左辺に係る結合番号Ｂをパラメータｋの値（Ｂ（ｘ，ｙ＋１，３）＝ｋ）にする。そして、分割処理部７２は、パラメータｋをインクリメントする（ステップＳ４５）。
【００８８】
また、ステップＳ４３において、パラメータｚの値が１（ｚ＝１）でない場合（ステップＳ４３において“Ｎ”）には、分割処理部７２は、パラメータｚが２（ｚ＝２）であるか否かを確認する（ステップＳ４６）。
【００８９】
ステップＳ４６において、パラメータｚの値が２（ｚ＝２）である場合（ステップＳ４６において“Ｙ”）には、分割処理部７２は、着目した分割画像Ｑ２（ｘ，ｙ）の辺（下辺）に係るガイドＡを“△” （Ａ（ｘ，ｙ，２）＝“△”）にするとともに、その下辺に係る結合番号Ｂをパラメータｋの値（Ｂ（ｘ，ｙ，２）＝ｋ）にする（ステップＳ４７）。また、分割処理部７２は、着目した分割画像Ｑ２（ｘ，ｙ）の下辺と結合される、その分割画像Ｑ２の下側の分割画像Ｑ２（ｘ＋１，ｙ）の上辺に係るガイドＡを“▽” （Ａ（ｘ＋１，ｙ，０）＝“▽”）にするとともに、その上辺に係る結合番号Ｂをパラメータｋの値（Ｂ（ｘ＋１，ｙ，０）＝ｋ）にする。そして、分割処理部７２は、パラメータｋをインクリメントする（ステップＳ４８）。
【００９０】
以上により、ガイドＡおよび結合番号Ｂの決定動作は終了する。
【００９１】
次に、図１７に示したように、分割処理部７２は、パラメータｚの値が３以上（ｚ≧３）であるか否かを確認する（ステップＳ２３）。パラメータｚの値が３未満である場合（ステップＳ２３において“Ｎ”）には、分割処理部７２は、パラメータｚをインクリメントし（ステップＳ２４）、ステップＳ２２に戻る。
【００９２】
ステップＳ２３において、パラメータｚの値が３以上である場合（ステップＳ２３において“Ｙ”）には、分割処理部７２は、パラメータｚの値を“０”に設定する（ステップＳ２５）。次に、分割処理部７２は、パラメータｙの値が“ｍｙ−１”以上（ｙ≧ｍｙ−１）であるか否かを確認する（ステップＳ２６）。パラメータｙの値が“ｍｙ−１”未満である場合（ステップＳ２６において“Ｎ”）には、分割処理部７２は、パラメータｙをインクリメントし（ステップＳ２７）、ステップＳ２２に戻る。
【００９３】
ステップＳ２６において、パラメータｙの値が“ｍｙ−１”以上である場合（ステップＳ２６において“Ｙ”）には、分割処理部７２は、パラメータｙの値を“０”に設定する（ステップＳ２８）。次に、分割処理部７２は、パラメータｘの値が“ｍｘ−１”以上（ｘ≧ｍｘ−１）であるか否かを確認する（ステップＳ２９）。パラメータｘの値が“ｍｘ−１”未満である場合（ステップＳ２９において“Ｎ”）には、分割処理部７２は、パラメータｘをインクリメントし（ステップＳ２７）、ステップＳ２２に戻る。
【００９４】
そして、ステップＳ２９において、パラメータｘの値が“ｍｘ−１”以上である場合（ステップＳ２９において“Ｙ”）には、配置情報ＩＮＦの生成動作は終了する。
【００９５】
図１９は、配置情報ＩＮＦの生成動作により生成されたガイドＡおよび結合番号Ｂを表すものである。この図１９は、パラメータｘ，ｙ，ｚにより特定される分割画像Ｑ２の辺に係るガイドＡおよび結合番号Ｂを示している。表の各欄において、左側はガイドＡを示し、右側は結合番号Ｂを示す。
【００９６】
次に、図１１に示したように、分割処理部７２は、配置情報ＩＮＦに基づいて、複数の分割画像Ｑ２にそれぞれ対応する複数の配置情報画像Ｑ３を生成し、印刷データ解析部７１は、この複数の配置情報画像Ｑ３に基づいて、蛍光画像用の中間コードを生成する（ステップＳ１４）。そして、印刷データ解析部７１は、生成した蛍光画像用の中間コードを、ディスプレイリスト４４として、記憶部４３に記憶させる。
【００９７】
図２０は、配置情報画像Ｑ３の一例を表すものである。この図２０では、９枚の配置情報画像Ｑ３を、配置情報画像Ｑ３（ｘ，ｙ）のように表記している。この図２０は、図１５に対応している。このようにして、分割処理部７２は、ガイドＡおよび結合番号Ｂを含む配置情報画像Ｑ３を生成する。そして、印刷データ解析部７１は、このような９枚の配置情報画像Ｑ３に基づいて、蛍光画像用の中間コードを生成し、この中間コードを、ディスプレイリスト４４として記憶部４３に記憶させる。
【００９８】
次に、図１１に示したように、画像描画部４６は、カラー画像用の中間コードおよび蛍光画像用の中間コードに基づいて、画像データ４５を生成する（ステップＳ１５）。具体的には、画像描画部４６のカラー画像描画部４７は、記憶部４３に記憶されたカラー画像用の中間コードに基づいて画像データ４５Ｋ，４５Ｙ，４５Ｍ，４５Ｃを生成する。また、蛍光画像描画部４８は、記憶部４３に記憶された蛍光画像用の中間コードに基づいて画像データ４５Ｕを生成する。そして、画像描画部４６は、これらの画像データ４５Ｋ，４５Ｙ，４５Ｍ，４５Ｃ，４５Ｕを、画像データ４５として、記憶部４３に記憶させる。
【００９９】
ステップＳ１１において、分割数ｍｘ，ｍｙがともに１である場合（ステップＳ１１において“Ｙ”）には、印刷データ解析部７１は、印刷データＤＰに含まれる画像Ｑ１に基づいて、カラー画像用の中間コードを生成する（ステップＳ１６）。そして、印刷データ解析部７１は、生成したカラー画像用の中間コードを、ディスプレイリスト４４として、記憶部４３に記憶させる。
【０１００】
次に、画像描画部４６は、カラー画像用の中間コードに基づいて、画像データ４５を生成する（ステップＳ６）。
【０１０１】
以上で、このフローは終了する。これにより、画像形成装置２は、印刷媒体９に、画像データ４５Ｋ，４５Ｙ，４５Ｍ，４５Ｃに基づいてカラー画像を印刷するとともに、画像データ４５Ｕに基づいて蛍光画像を印刷する。
【０１０２】
ユーザは、紫外線ライトを用いて紫外線を照射することにより、蛍光画像である配置情報画像Ｑ３を視認し、その配置情報画像Ｑ３に基づいて分割画像Ｑ２の配置を把握することができる。これにより、ユーザは、分割画像Ｑ２が印刷された複数の印刷媒体９を、セロハンテープなどを用いて結合することにより、画像Ｑ１を再現することができる。
【０１０３】
図２１は、ユーザが分割画像Ｑ２を結合した後の画像Ｑ１を表すものである。ユーザは、同じ結合番号Ｂが描かれた向きの異なる２つの三角形のガイドＡをつなげてひし形にするように、分割画像Ｑ２を結合する。その際、配置情報画像Ｑ３を蛍光画像として印刷したので、ユーザは、前側の印刷媒体９に印刷されたガイドＡに加え、後ろ側の印刷媒体９に印刷されたガイドＡをも視認することができる。このように、ユーザが分割画像Ｑ２を結合する際、ガイドＡを用いることにより、分割画像Ｑ２の位置合わせを容易に行うことができる。
【０１０４】
このように、画像形成装置２では、分割画像Ｑ２の一部が互いにオーバーラップするように、複数の分割画像Ｑ２を生成するとともに、配置情報ＩＮＦをそのオーバーラップした領域に配置することにより、複数の配置情報画像Ｑ３を生成した。これにより、ユーザは、分割画像Ｑ２のどの辺と他の分割画像Ｑ２のどの辺とを結合させればよいかを知ることができる。また、ガイドＡを蛍光画像として印刷したので、ユーザは、分割画像Ｑ２の位置合わせをすることができる。その結果、画像形成装置２では、ユーザの利便性を高めることができる。
【０１０５】
以上のように本実施の形態では、分割画像の一部が互いにオーバーラップするように、複数の分割画像を生成するとともに、配置情報をそのオーバーラップした領域に配置することにより、複数の配置情報画像を生成したので、ユーザの利便性を高めることができる。
【０１０６】
本実施の形態では、ガイドを蛍光画像として印刷したので、ユーザは、分割画像の位置合わせをすることができるので、ユーザの利便性を高めることができる。
【０１０７】
［変形例２−１］
上記実施の形態では、ユーザが操作部３３を用いてコピー動作を指示したが、これに限定されるものではない。これに代えて、例えば、第１の実施の形態と同様に、ユーザが、ホストＰＣ５０から、印刷データＤＰに基づく印刷を指示してもよい。この場合でも、分割処理部７２は、画像Ｑ１を複数の分割画像Ｑ２に分割するとともに、配置情報ＩＮＦを含む複数の配置情報画像Ｑ３を生成することができる。
【０１０８】
［変形例２−２］
上記実施の形態では、画像形成装置１が画像Ｑ１を複数の分割画像Ｑ２に分割したが、これに限定されるものではなく、これに代えて、例えば、上記第１の実施の形態の変形例１−２と同様に、ホストＰＣ５０が画像Ｑ１を複数の分割画像Ｑ２に分割してもよい。
【０１０９】
以上、いくつかの実施の形態および変形例を挙げて本発明を説明したが、本発明はこれらの実施の形態等には限定されず、種々の変形が可能である。
【０１１０】
例えば、上記の各実施の形態では、画像形成装置１，２はいわゆる多機能周辺装置としたが、これに限定されるものではなく、これに代えて、例えば、印刷機能のみを有するプリンタであってもよい。
【０１１１】
また、例えば、上記の各実施の形態では、画像形成装置１，２は、カラー画像を形成可能に構成したが、これに限定されるものではなく、これに代えて、例えば、白黒画像を形成可能に構成してもよい。
【０１１２】
また、例えば、上記第２の実施の形態に係る画像形成装置２では、隣り合う分割画像Ｑ２の一部が互いにオーバーラップするようにして、複数の分割画像Ｑ２を生成したが、上記第１の実施の形態に係る画像形成装置１でも、同様に、隣り合う分割画像Ｐ２の一部が互いにオーバーラップするようにして、複数の分割画像Ｐ２を生成してもよい。
【符号の説明】
【０１１３】
１，２…画像形成装置、８，１９…搬送路、９…印刷媒体、１０…画像読取ユニット、１２…供給トレイ、１３…イメージセンサ、１４…排出トレイ、２０，６０…画像形成ユニット、２１…供給トレイ、２２，２２Ｋ，２２Ｙ，２２Ｍ，２２Ｃ，２２Ｕ…現像部、２３，２３Ｋ，２３Ｙ，２３Ｍ，２３Ｃ，２３Ｕ…感光体、２４，２４Ｋ，２４Ｙ，２４Ｍ，２４Ｃ，２４Ｕ…光源、２５，２５Ｋ，２５Ｙ，２５Ｍ，２５Ｃ，２５Ｕ…転写ローラ、２６…定着部、２６Ａ…ヒートローラ、２６Ｂ…加圧ローラ、２７…排出トレイ、３１…通信部、３２…ＦＡＸ通信部、３３…操作部、３４…制御部、３４Ａ…ジョブ管理部、３４Ｂ…機能管理部、３５…記憶部、４０，７０…画像データ生成部、４１，７１…印刷データ解析部、４２，７２…分割処理部、４３…記憶部、４４…ディスプレイリスト、４５，４５Ｋ，４５Ｙ，４５Ｍ，４５Ｃ，４５Ｕ…画像データ、４６…画像描画部、４７…カラー画像描画部、４８…蛍光画像描画部、４９…印刷制御部、５０，５０Ｂ…ホストＰＣ（Personal Computer）、５１…オペレーティングシステム、５２…アプリケーションソフトウェア、５３，５３Ｂ…プリンタドライバ、５４…ユーザインタフェース部、５５…印刷データ生成部、５６Ｂ…分割処理部、Ａ…ガイド、Ｂ…結合番号、ＤＩＲ…方向情報、ＤＰ…印刷データ、ＩＮＦ，ＩＮＦ１，ＩＮＦ２…配置情報、ｋ，ｘ，ｙ，ｚ…パラメータ、ｍｘ，ｍｙ…分割数、Ｐ１，Ｑ１…画像、Ｐ２，Ｑ２…分割画像、Ｐ３，Ｑ３…配置情報画像、ＲＳ…余白領域。
【図１】
2017081060.tif 000003
【図２】
2017081060.tif 000004
【図３】
2017081060.tif 000005
【図４】
2017081060.tif 000006
【図５】
2017081060.tif 000007
【図６】
2017081060.tif 000008
【図７】
2017081060.tif 000009
【図８】
2017081060.tif 000010
【図９】
2017081060.tif 000011
【図１０】
2017081060.tif 000012
【図１１】
2017081060.tif 000013
【図１２】
2017081060.tif 000014
【図１３】
2017081060.tif 000015
【図１４】
2017081060.tif 000016
【図１５】
2017081060.tif 000017
【図１６】
2017081060.tif 000018
【図１７】
2017081060.tif 000019
【図１８】
2017081060.tif 000020
【図１９】
2017081060.tif 000021
【図２０】
2017081060.tif 000022
【図２１】
2017081060.tif 000023